(57)【要約】【課題】  輸送時や携行時に誤って仕切り部が連通することなく安定して持ち運べ、使用時には仕切り部を容易に連通させて使用できる２室分離袋を提供すること。【解決手段】  フィルムからなり、略中央部に仕切り部を有することで２種類の被収容物を夫々別個に収容できる平袋であって、仕切り部は、袋の上下面を構成する前記フィルムが易剥離性を有する帯状テープを挟んで熱融着されることで形成されており、熱融着されたヒートシール部は帯状テープに平行な略帯状で、一部に幅が狭くなった幅狭部を有しており、該幅狭部は帯状テープを挟む部分にのみ位置し、該幅狭部を除く部分は帯状テープを挟む部分と挟まない部分に跨って位置することを特徴とする２室分離袋とする。【選択図】図１
2010083567.tif 000002
【特許請求の範囲】
【請求項１】
フィルムからなり、略中央部に仕切り部を有することで２種類の被収容物を夫々別個に収容できる平袋であって、
前記仕切り部は、袋の上下面を構成する前記フィルムが易剥離性を有する帯状テープを挟んで熱融着されることで形成されており、
熱融着されたヒートシール部は前記帯状テープに平行な略帯状で、一部に幅が狭くなった幅狭部を有しており、該幅狭部は前記帯状テープを挟む部分にのみ位置し、該幅狭部を除く部分は前記帯状テープを挟む部分と挟まない部分に跨って位置することを特徴とする２室分離袋。
【請求項２】
前記幅狭部が、前記仕切り部の長さ方向端部から前記仕切り部の全長の略４分の１の位置を中心に設けられていることを特徴とする請求項１に記載の２室分離袋。
【請求項３】
前記２種類の被収容物の一方が乾燥した不織布であり、他方が化粧水等の化粧料であることを特徴とする請求項１又は２に記載の２室分離袋。
【発明の詳細な説明】
【技術分野】
【０００１】
本発明は、内部に２種類の異なる物品を別個に封入し、使用時以前には内部が仕切られ２種類の物品を別々に保持でき、使用時には内部を容易に連通させて２種類の物品を合わせて使用することができる２室分離袋に関する。
【背景技術】
【０００２】
一般に、フェイスマスクは不織布等の親水性シートに化粧水を含浸させて使用されるものである。
【０００３】
従来のフェイスマスクは、不織布シートとそれに含浸させる化粧水のボトル等が別個になっており、所定の容器に不織布シートを入れ、そこに化粧水を適量注ぎ入れて使用するものが一般的であった。
【０００４】
しかし、不織布シートと化粧水ボトルが別個になっているため持ち運びに不便であるという問題があった。さらに、使用時に不織布シートに適量の化粧水を含浸させる作業は容易でなく、必要量以上に化粧水を使用し浪費してしまったり、化粧水を零す等して衣類や床を汚したりするといった問題もあった。
【０００５】
かかる問題を解決するために、特許文献１では外圧により剥離可能な接着部を仕切り部として内部が２室に分割されているフェイスパックマスクの携帯用包装袋が提案されている。これによれば必要量の化粧水しか収容されていないため、必要量以上に化粧水を浪費したり、化粧水を零したりすることがない。
【０００６】
しかしながら、特許文献１の発明は仕切り部全面が易剥離性の接着部であるため簡単に剥がれるので、使用時以前の輸送時や携行時に仕切り部が剥離してしまい化粧水がフェイスマスクに浸透してしまう虞があるといった問題がある。
【０００７】
【特許文献１】特開２００２−１２２７３号公報
【発明の開示】
【発明が解決しようとする課題】
【０００８】
本発明は上記の問題を解決すべくなされたものであって、輸送時や携行時に誤って仕切り部が連通することなく安定して持ち運べ、使用時には仕切り部を容易に連通させて使用できる２室分離袋を提供することである。
【課題を解決するための手段】
【０００９】
請求項１に係る発明は、フィルムからなり、略中央部に仕切り部を有することで２種類の被収容物を夫々別個に収容できる平袋であって、前記仕切り部は、袋の上下面を構成する前記フィルムが易剥離性を有する帯状テープを挟んで熱融着されることで形成されており、熱融着されたヒートシール部は前記帯状テープに平行な略帯状で、一部に幅が狭くなった幅狭部を有しており、該幅狭部は前記帯状テープを挟む部分にのみ位置し、該幅狭部を除く部分は前記帯状テープを挟む部分と挟まない部分に跨って位置することを特徴とする２室分離袋に関する。
【００１０】
請求項２に係る発明は、前記幅狭部が、前記仕切り部の長さ方向端部から前記仕切り部の全長の略４分の１の位置を中心に設けられていることを特徴とする請求項１に記載の２室分離袋に関する。
【００１１】
請求項３に係る発明は、前記２種類の被収容物の一方が乾燥した不織布であり、他方が化粧水等の化粧料であることを特徴とする請求項１又は２に記載の２室分離袋に関する。
【発明の効果】
【００１２】
請求項１に係る発明によれば、フィルムからなり、略中央部に仕切り部を有することで２種類の被収容物を夫々別個に収容できる平袋であって、仕切り部は、袋の上下面を構成するフィルムが易剥離性を有する帯状テープを挟んで熱融着されることで形成されており、熱融着されたヒートシール部は帯状テープに平行な略帯状で、一部に幅が狭くなった幅狭部を有しており、ヒートシール部の幅狭部を除く部分は易剥離性を有する帯状テープを挟まない部分にも位置していることから、平置き状態では外圧が加わっても仕切り部が剥離しにくく、輸送時や携行時に誤って仕切り部が連通することなく安定して持ち運ぶことができる。
また、幅狭部は易剥離性を有する帯状テープを挟む部分にのみ位置することから、使用時に２つ折りにし把持することで内圧を高めると、幅狭部にて容易に仕切り部を剥離することができ２室を連通させることができる。
【００１３】
請求項２に係る発明によれば、幅狭部が、仕切り部の長さ方向端部から仕切り部の全長の略４分の１の位置を中心に設けられていることにより、２室分離袋を２つ折りにした時に幅狭部に圧力が集中しやすく２室が連通しやすい。また２室が連通した時に幅狭部が折れ曲がらないので２室間で被収容物を効率よく移動させることができる。
【００１４】
請求項３に係る発明によれば、２種類の被収容物の一方が乾燥した不織布であり、他方が化粧水等の化粧料であることにより、不織布に過不足なく化粧料を浸透させることができるので化粧水を零すことがなく衣類や床を汚さず化粧料を使用できる。
【発明を実施するための最良の形態】
【００１５】
以下、本発明に係る２室分離袋の好適な実施形態について、図面を参照しつつ説明する。
図１は、本発明に係る２室分離袋の実施形態を示す平面図であり、図２は図１におけるＡ−Ａ矢視模式図であり、図３は図１におけるＢ−Ｂ矢視模式図である。
なお、図１における上下方向を２室分離袋（１００）の長さ方向と、左右方向を幅方向と規定する（以下、本明細書中にて同じ）。
【００１６】
２室分離袋（１００）は図１に示すように、２枚のフィルム（１）が熱融着されることにより形成されている。具体的には、２枚のフィルム（１）の略中央部に位置する仕切り部（１０）とフィルム（１）の４辺に位置する周縁部（１１）が熱融着されることで形成され、２つの密閉空間である第１収容部（１０１）、第２収容部（１０２）を有する。
フィルム（１）の材質は特には限定されないが、例えばポリエチレン、ポリプロピレンやポリエチレンテレフタレート等が挙げられ、またこれらを積層したものであっても良い。
【００１７】
仕切り部（１０）は、２枚のフィルム（１）の間に易剥離性を有する帯状のテープであるイージーテープ（２）を挟んで熱融着されることで形成され、熱融着された部分であるヒートシール部（３）は、イージーテープ（２）と平行な略帯状を成している。
イージーテープ（２）としては、例えばポリエチレンテレフタレート（ＰＥＴ）からなるベース層にイージーピール設計されたポリエチレン系樹脂からなるピール層と直鎖状低密度ポリエチレン（ＬＬＤＰＥ）からなる融着層を積層したものを使用することができるが、特には限定されない。
なお、図１においてイージーテープ（２）には右上がりのハッチングを施し、ヒートシール部（３）には右下がりのハッチングを施している。図２及び図３においてハッチングを施している箇所はヒートシール部（３）を示す。
【００１８】
ヒートシール部（３）は、幅広部（３１）と幅狭部（３２）を有する。
幅広部（３１）は図２に示すように、２枚のフィルム（１）の間にイージーテープ（２）を挟む易剥離部（３０１）とフィルム（１）の間にイージーテープ（２）を挟まない難剥離部（３０２）に跨って融着しており、幅狭部（３２）は図３に示すようにイージーテープ（２）をフィルム（１）で挟む易剥離部（３０１）でのみ融着している。
【００１９】
幅狭部（３２）の形状は特には限定されないが、本実施形態では帯状のヒートシール部（３）の一辺に、一部熱融着されていない矩形状部分を設けて形成されている。
仕切り部（１０）の下端部から幅狭部（３２）の長さ方向の中心までの距離（ｘ）は、図１に示すように仕切り部（１０）の全長の略４分の１の長さであることが好ましいが、これに限定されるものではない。
幅狭部（３２）の幅（ｗ）は、本実施形態ではヒートシール部（３）の略半分の幅としているが、これに限定されるものではない。
幅狭部（３２）の長さ（ｌ）は、仕切り部（１０）の全長の１０〜６０％程度であれば良く、仕切り部（１０）の全長の２５〜３５％程度であることがより好ましい。
本実施形態では、幅狭部（３２）は１箇所としているが、２箇所以上に設けても良い。
難剥離部（３０２）の幅（ｄ）は、本実施形態ではヒートシール部（３）の４分の１程度の幅としているが特には限定されない。
【００２０】
次に、２室分離袋（１００）の作用について説明する。
図４は、２室分離袋（１００）を長さ方向に２つ折りにした状態を示す図であり、図１における上半分を紙面裏側に折り返している状態を示す。図５は図４のＣ−Ｃ矢視模式図で、図５（ａ）は加圧前の状態を示す図であり、図５（ｂ）は加圧後の状態を示す図である。なお、図５では図１における上半分を示す部分は省略している。
仕切り部（１０）の端部から幅狭部（３２）の長さ方向の中心までの距離（ｘ）は、仕切り部（１０）の全長の略４分の１の長さであるので、図４に示すように２室分離袋を２つ折りにした状態では幅狭部（３２）が仕切り部（１０）の中央部に位置している。
【００２１】
２室分離袋（１００）は、第１収容部（１０１）に化粧水等の化粧料を、第２収容部（１０２）にフェイスマスク等に用いられる乾燥不織布を夫々収容する。
使用以前すなわち輸送時や携行時においては、図１のような平置き状態に置かれる。この時、仕切り部（１０）の大部分は幅広部（３１）であり難剥離部（３０２）を有するので、外圧が加わっても仕切り部（１０）は簡単には剥離しない。そのため使用以前に化粧水が乾燥不織布に含浸することは起き難い。
【００２２】
化粧水の使用に際しては、図４に示すように２室分離袋（１００）を長さ方向に２つ折りにして把持する。
２つ折りにすることで第１収容部（１０１）の容積が減少し内圧が高まるので、把持する程度の少ない外圧で幅狭部（３２）の剥離を起こすことができる。
【００２３】
図５（ａ）に示すように、幅広部（３１）はフィルム（１）同士で融着される部分すなわち難剥離部（３０２）を有しているが、幅狭部（３２）は全面でイージーテープ（２）を挟んで融着されている。
把持することで第１収容部（１０１）の内圧が高まるので、図５（ｂ）に示すように難剥離部（３０２）を有さない幅狭部（３２）でフィルム（１）とイージーテープ（２）が剥離し、第１収容部（１０１）と第２収容部（１０２）が連通する。
【００２４】
第１収容部（１０１）と第２収容部（１０２）が連通すると、化粧水が第１収容部（１０１）から第２収容部（１０２）へ移動し乾燥不織布に浸透、含浸される。
【００２５】
この時、幅狭部（３２）が２つ折りになった仕切り部（１０）の中央部に位置していることで易剥離部（３０１）のみで融着している幅狭部（３２）に圧力が集中するので容易に２つの収容部を連通させることができる。
また、連通した時に幅狭部が折れ曲がらないので化粧水を効率よく移動させることができる。
【００２６】
さらに、第１収容部（１０１）内に予め適量の化粧水を封入しておくことで、第２収容部（１０２）に収容された乾燥不織布に過不足なく化粧水を含浸させることができるので、化粧水を浪費したり零して衣類や床等を汚したりせずフェイスマスク等を使用することができる。
【００２７】
なお、本実施形態では被収容物をフェイスマスク等の乾燥不織布と化粧水等の化粧料としたがこれに限定されるものではなく、本発明に係る２室分離袋は、例えばスポンジに洗浄液を含浸させて使う洗浄具や、２液を混合して用いる液状の接着剤等にも利用できる。
【実施例】
【００２８】
以下、実施例を示すことにより、本発明の効果をより明確なものとするが、本発明はこの実施例に限定されない。
【００２９】
フィルム（１）として外寸が１６５ｍｍ×１６５ｍｍのバリアＮＹ＃１５／ＤＬ／Ｌ−ＬＤＰＥ＃６０（厚さ１５μｍのバリアナイロンに厚さ６０μｍのＬＬＤＰＥをドライラミネートにより積層したもの）を、イージーテープ（２）としてＬ−ＬＤＰＥ＃２５／ＤＬ／ＰＥＴ＃１２／ＤＬ／ＥＡＳＹ＃３０（厚さ１２μｍのＰＥＴに厚さ２５μｍのＬＬＤＰＥと厚さ３０μｍのイージーピール設計されたポリエチレン系樹脂をドライラミネートにより積層したもの）を夫々用いる。周縁部（１１）の幅を１０ｍｍ、ヒートシール部（３）の幅を１０ｍｍとし、第１収容部（１０１）の幅を内寸５５ｍｍとした２室分離袋（１００）を試験体として使用する（図１参照）。
【００３０】
（実施例１）
上記の試験体において、イージーテープ（２）の幅を１０ｍｍとし、幅（ｗ）が５ｍｍ、長さ（ｌ）が３０ｍｍの幅狭部（３２）を、仕切り部（１０）の端部から幅狭部（３２）の長さ方向の中心までの距離（ｘ）が４１．２５ｍｍの位置に設けた。
難剥離部（３０２）の幅（ｄ）は、２．５ｍｍとする。
【００３１】
（実施例２）
上記の試験体において、イージーテープ（２）の幅を１０ｍｍとし、幅（ｗ）が５ｍｍ、長さ（ｌ）が５０ｍｍの幅狭部（３２）を、仕切り部（１０）の端部から幅狭部（３２）の長さ方向の中心までの距離（ｘ）が４１．２５ｍｍの位置に設けた。
難剥離部（３０２）の幅（ｄ）は、２．５ｍｍとする。
【００３２】
（比較例）
上記の試験体において、イージーテープ（２）の幅を１５ｍｍとした。幅狭部（３２）は設けていない。
イージーテープ（２）上でのみ熱融着し、難剥離部（３０２）は設けていない。
【００３３】
（耐圧試験）
（実施例１）、（実施例２）及び（比較例）にて、第１収容部（１０１）には水道水３０ｍｌ及び空気を封入し、第２収容部には何も入れないサンプルを夫々６個ずつ製作する。
（実施例１）、（実施例２）及び（比較例）のサンプルを、（Ｉ）平置き状態及び（ＩＩ）２つ折り状態で、水平な試験台に載置し上面全面から鉛直下方に荷重を加えた。荷重は１０秒毎に１ｋｇ増やし、仕切り部（１０）が剥離した時の荷重を読み取った。
なお、（Ｉ）平置き状態、（ＩＩ）２つ折り状態の夫々につき各３個のサンプルにて試験を行った。
結果を表１に示す。
【００３４】
【表１】
2010083567.tif 000003
【００３５】
表１に示す通り、（Ｉ）平置き状態では、（実施例１）及び（実施例２）の方が（比較例）に比べ耐圧性が高く、（ＩＩ）２つ折り状態では、（実施例１）及び（実施例２）の方が（比較例）に比べ耐圧性がやや低くなった。
結果（Ｉ）より、ヒートシール部（３）に難剥離部（３０２）を有する（実施例１）及び（実施例２）は、難剥離部（３０２）を有さない（比較例）に比べ、平置き状態では仕切り部（１０）が剥離しにくいことが分かる。
また、結果（ＩＩ）より、（実施例１）及び（実施例２）は、ヒートシール部（３）に幅狭部（３２）を有していることによって、２つ折りの状態では難剥離部（３０２）を有さない（比較例）と同等又はそれ以上に剥離しやすいことが分かる。
【００３６】
（シール強度試験）
（実施例１）、（実施例２）及び（比較例）にて、夫々易剥離部（３０１）を１５ｍｍ長の短冊状に切り出して両面のフィルム（１）を引張速度３００ｍｍ／ｍｉｎで引っ張り、易剥離部（３０１）のヒートシール強度（ＪＩＳ  Ｚ−０２３８準拠）を測定した。
夫々３回測定し、その平均値を表２に示す。
【００３７】
【表２】
2010083567.tif 000004
【００３８】
表２に示すように、（実施例１）及び（実施例２）の方が（比較例）より易剥離部（３０１）のヒートシール強度が低い。
また、前述した耐圧試験の結果（Ｉ）より、（実施例１）及び（実施例２）は（比較例）に比べ耐圧性が高い。
通常耐圧性を高くするにはヒートシール強度を高くすることが考えられるが、上記の結果より（実施例１）及び（実施例２）では、ヒートシール強度を高くすることなく平置き状態における高い耐圧性を得られることが分かる。
【００３９】
（官能試験）
（実施例１）、（実施例２）及び（比較例）にて、第１収容部（１０１）には（Ｉ）水道水２０ｍｌと空気、（ＩＩ）水道水３０ｍｌと空気を封入し、第２収容部には何も入れない。
異なる３名の試験官Ａ，Ｂ，Ｃによって、夫々の試験体を２つ折りにし把持することで仕切り部（１０）を剥離させた時の剥離しやすさを評価した。
評価値は比較例の剥離しやすさを基準として相対評価した。基準値を３として５段階で評価し、剥離しやすいものから剥離しにくいものまでを５から１の降順とする。
【００４０】
【表３】
2010083567.tif 000005
【００４１】
表３に示す結果によると、各試験官の個人差はあるものの、難剥離部（３０２）を有する（実施例１）及び（実施例２）であっても、難剥離部（３０２）を有さない（比較例）と同等に剥離させやすいという傾向が見られた。特に長さ５０ｍｍの幅狭部（３２）を設けた（実施例２）では（比較例）よりも剥離させやすいという結果が得られた。
【産業上の利用可能性】
【００４２】
本発明は、フェイスマスク等の乾燥不織布と化粧水等の化粧料や、スポンジに洗浄液を含浸させて使う洗浄具、２液を混合して用いる液状の接着剤等に利用できる。
【図面の簡単な説明】
【００４３】
【図１】本発明に係る２室分離袋の実施形態を示す平面図である。
【図２】図１におけるＡ−Ａ矢視模式図である。
【図３】図１におけるＢ−Ｂ矢視模式図である。
【図４】本発明に係る２室分離袋を２つ折りにした状態を示す図である。
【図５】図４におけるＣ−Ｃ矢視模式図である。
【符号の説明】
【００４４】
１００  ２室分離袋
１      フィルム
１０    仕切り部
１０１  第１収容部
１０２  第２収容部
１１    周縁部
２      イージーテープ
３      ヒートシール部
３０１  易剥離部
３０２  難剥離部
３１    幅広部
３２    幅狭部
【図１】
2010083567.tif 000006
【図２】
2010083567.tif 000007
【図３】
2010083567.tif 000008
【図４】
2010083567.tif 000009
【図５】
2010083567.tif 000010